(57)【要約】    【課題】  メイントラックとエクストラトラックとを有する光ディスクを再生可能であって、ユーザにとって使い勝手のよい光ディスク再生装置及び再生方法を提供する。    【解決手段】  光ディスク再生装置は、予め定められた数のメイントラックを含み、光ディスクの第１の記録エリアに記録された第１のオーディオデータと、メイントラックと同一内容のメイントラックの他にエクストラトラックを含み、光ディスクの第２の記録エリアに記録された第２のオーディオデータと、を再生する再生部と、第１のオーディオデータ及び第２のオーディオデータのトラック数に基づいて、第２のオーディオデータのメイントラックとエクストラトラックとをそれぞれ識別する識別部と、を備える。    【選択図】  図２
2005317169.tif 000002
【特許請求の範囲】
【請求項１】
光ディスクの第１の記録エリアに記録された、メイントラックを有する第１のオーディオデータ、および、前記光ディスクの第２の記録エリアに記録された、前記メイントラックと同一内容のメイントラックに加えエクストラトラックを有する第２のオーディオデータのいずれかを再生する再生部と、
前記第１のオーディオデータ及び前記第２のオーディオデータのトラック数に基づいて、前記第２のオーディオデータの前記メイントラックと前記エクストラトラックとをそれぞれ識別する識別部と、を備えること
を特徴とする光ディスク再生装置。
【請求項２】
請求項１に記載の光ディスク再生装置であって、
前記再生部が再生しようとする記録エリアに、前記エクストラトラックが存在するか否かを判別する判別部をさらに備えること
を特徴とする光ディスク再生装置。
【請求項３】
請求項１に記載の光ディスク再生装置であって、
前記再生部は、さらに、前記第１の記録エリアおよび第２の記録エリアが設けられたレイヤーの他に、前記メイントラックに対応するトラックのみを有するレイヤーを備える光ディスクの、いずれかのレイヤーを再生し、
前記判別部は、前記再生部が再生しようとするレイヤーに前記エクストラトラックが存在するか否かを判別すること
を特徴とする光ディスク再生装置。
【請求項４】
請求項２または３に記載の光ディスク再生装置であって、
前記判別部が判別したエクストラトラックの有無を表示する表示部をさらに備えること
を特徴とする光ディスク再生装置。
【請求項５】
請求項４に記載の光ディスク再生装置であって、
前記表示部は、前記判別部が前記再生部が再生しようとする前記記録エリアに前記エクストラトラックが存在しないと判別した場合に、ユーザに前記エクストラトラックを再生するか否かの指示の入力を促す表示を行うこと
を特徴とする光ディスク再生装置。
【請求項６】
請求項１に記載の光ディスク再生装置であって、
前記再生部が再生しようとするトラックが、前記識別部が識別したエクストラトラックであるか否かを判別する判別部をさらに備えること
を特徴とする光ディスク再生装置。
【請求項７】
請求項６に記載の光ディスク再生装置であって、
ユーザから、再生するトラックの指定を受け付けるトラック指定部をさらに備えること
を特徴とする光ディスク再生装置。
【請求項８】
請求項６または７に記載の光ディスク再生装置であって、
前記判別部が前記エクストラトラックであると判別したとき、その旨を表示する表示部をさらに備えること
を特徴とする光ディスク再生装置。
【請求項９】
請求項６に記載の光ディスク再生装置であって、
前記判別部が前記エクストラトラックであると判別したとき、その旨を表示するとともにユーザに再生するか否かの指示の入力を促す表示を行う表示部をさらに備えること
を特徴とする光ディスク再生装置。
【請求項１０】
請求項６乃至９に記載の光ディスク再生装置であって、
ユーザからの前記再生部に再生を指示するための指示の入力を受け付ける再生指示部をさらに備え、
前記判別部が、再生されるトラックが前記エクストラトラックであると判別した場合、前記再生部は、前記再生指示部を介してユーザによる再生の指示を受け付けた場合、当該トラックを再生すること
を特徴とする光ディスク再生装置。
【請求項１１】
予め定められた数のメイントラックを含み、光ディスクの第１の記録エリアに記録された第１のオーディオデータと、前記メイントラックと同一内容のメイントラックの他にエクストラトラックを含み、前記光ディスクの第２の記録エリアに記録された第２のオーディオデータと、を再生する光ディスク再生方法において、
前記第１のオーディオデータ及び前記第２のオーディオデータのトラック数に基づいて、前記第２のオーディオデータの前記メイントラックと前記エクストラトラックとをそれぞれ識別する識別ステップを備えること
を特徴とする光ディスク再生方法。
【請求項１２】
請求項１１に記載の光ディスク再生方法において、
再生しようとする記録エリアに、前記エクストラトラックが存在するか否かを判別する判別ステップをさらに備えること
を特徴とする光ディスク再生方法。
【請求項１３】
請求項１１に記載の光ディスク再生方法において、
前記記録エリアが設けられたレイヤーの他に、前記メイントラックに対応するトラックを含むが前記エクストラトラックに対応するトラックを含まないレイヤーを有する光ディスクを再生する場合、再生しようとするレイヤーに前記エクストラトラックが存在するか否かを判別する判別ステップをさらに備えること
を特徴とする光ディスク再生方法。
【請求項１４】
請求項１２または１３に記載の光ディスク再生方法において、
前記判別したエクストラトラックの有無を表示する表示ステップをさらに備えること
を特徴とする光ディスク再生方法。
【請求項１５】
請求項１２に記載の光ディスク再生方法において、
前記再生しようとする記録エリアに前記エクストラトラックが存在しないと判別した場合に、前記エクストラトラックの再生をするか否かを尋ねる旨の表示を行う表示ステップをさらに備えること
を特徴とする光ディスク再生方法。
【請求項１６】
請求項１１に記載の光ディスク再生方法において、
再生しようとするトラックが、前記識別したエクストラトラックであるか否かを判別する判別ステップをさらに備えること
を特徴とする光ディスク再生方法。
【請求項１７】
請求項１６に記載の光ディスク再生方法において、
ユーザから再生するトラックの指定を受け付ける指定受付ステップをさらに備えること
を特徴とする光ディスク再生方法。
【請求項１８】
請求項１６または１７に記載の光ディスク再生方法において、
前記エクストラトラックであると判別されたとき、その旨を表示する表示ステップをさらに備えること
を特徴とする光ディスク再生方法。
【請求項１９】
請求項１６に記載の光ディスク再生方法において、
前記エクストラトラックであると判別されたとき、その旨を表示するとともにユーザから再生するか否かの指示を受け付ける表示を行うこと
を特徴とする光ディスク再生方法。
【請求項２０】
請求項１６乃至１９に記載の光ディスク再生方法において、
再生されるトラックが前記エクストラトラックであると判別された場合、ユーザからの再生の指示を受け付け、該トラックを再生する再生ステップと、をさらに備えること
を特徴とする光ディスク再生方法。
【発明の詳細な説明】
【技術分野】
【０００１】
本発明は、光ディスクに記録されたオーディオデータを再生する光ディスク再生装置及び再生方法に関する。
【背景技術】
【０００２】
デジタルオーディオデータが記録された光ディスクとして、CD-DA（Compact Disc-Digital Audio）が開発されている。CD-DAには、４４．１kHzのサンプリング周波数でサンプリングされた１６ビットのデジタルオーディオデータが１．６μmのトラックピッチで記録されている。これに対して、サンプリング周波数が２８２２．４kHzであり、デルタシグマ変調された１ビットのデジタルオーディオデータが０．７４μmのトラックピッチで記録された高記録密度の光ディスクが開発されている（例えば、非特許文献１参照。）。
【０００３】
この高記録密度の光ディスクには、２８２２．４kHzでサンプリングされデルタシグマ変調された１ビットのデジタルオーディオデータが記録された記録層（以下HD（High Definition）レイヤーという。）と、４４．１kHzでサンプリングされた１６ビットのデジタルオーディオデータが記録された記録層（以下CDレイヤーという。）と、の２種の記録層を有するハイブリッドレイヤーディスク（以後、ハイブリッドディスクと呼ぶ。）が含まれる。他に、１層のHDレイヤーのみを有するシングルレイヤーディスク、及び、２層のHDレイヤーを有するデュアルレイヤーディスクも含まれる。これらの光ディスクは、いずれもCDと同一の形状を有する。
【０００４】
このような高記録密度の光ディスクにおいて、HDレイヤーは、２チャンネルのデジタルオーディオデータを記録する２チャンネルステレオエリアと、６チャンネルまでのマルチチャンネルのデジタルオーディオデータを記録するマルチチャンネルエリアと、を有する。各エリアに記録されたデータは、基本的に同一の内容を有する。
【０００５】
さらに、ハイブリッドディスクにおいては、ＣＤレイヤーには通常のＣＤプレーヤで再生可能な同一内容の２チャンネルオーディオデータが記録されている。このようなハイブリッドディスクを再生することができる光ディスク再生装置は、例えば、光ピックアップから照射されるレーザ光の波長及び対物レンズの開口率を変化させることにより、HDレイヤー及びCDレイヤーに記録されたデータを読み取る。
【０００６】
【非特許文献１】“スーパーオーディオCDとは”、インターネットURL : http://www.super-audiocd.com/aboutsacd/format.html、２００４年３月８日検索
【発明の開示】
【発明が解決しようとする課題】
【０００７】
上記のような高密度光ディスクは、ディスクの主たる内容が記録されるメイントラックに加えて、追加トラック（エクストラトラック）が記録されている場合がある。例えば、エクストラトラックとして、正弦波やホワイトノイズ等のサラウンドテスト信号が収録されたトラックが、メイントラックの後に記録されている場合がある。また、音楽の製作模様を収録したオーディオデータやカラオケ演奏等のオーディオデータのトラックが記録されている場合もある。
【０００８】
ユーザは、このようなエクストラトラックが特定のレイヤー及びエリアに追加記録されているのにも拘らず、その存在に気づかない場合がある。例えば、ハイブリッドディスクのＨＤレイヤーのマルチチャンネルエリアにのみエクストラトラックが記録されている場合、いつもはＣＤレイヤーや２チャンネルエリアのオーディオデータを再生している場合には、エクストラトラックの存在には気づきにくい。かかる場合には、ユーザは、その存在を覚えているか、又は、ジャケット等を再度参照しなければならない。これは、ユーザにとって非常に手間である。
【０００９】
また一方で、エクストラトラックが記録されているディスクを再生する場合においても、問題が生じうる。すなわち、エクストラトラックに通常のオーディオデータが記録されていればよいが、上述したように、正弦波やホワイトノイズ等のサラウンドテスト信号が記録されている場合がある。
【００１０】
サラウンドテスト信号は、複数のスピーカから出力されるオーディオ信号が最良のサラウンド音場を作るように、スピーカの出力レベルを設定するために用いられる。このため、通常、メイントラックを再生するときには、このサラウンドテスト信号が記録されたエクストラトラックを再生する必要がない。
【００１１】
したがって、メイントラックに続いてサラウンドテスト信号が再生された場合には、それを知らないユーザは、非常に驚き、不快な気分となりうる。さらには、異常音（正弦波やホワイトノイズ等）の再生により、再生装置の故障と誤認するおそれもある。
【００１２】
このため、ユーザは、聞きたくないエクストラトラックを再生しないようにするためには、添付のジャケット等からエクストラトラックが記録されているレイヤー又はエリアをいちいち確認し、エクストラトラックが記録されていないレイヤー又はエリアに切り換えなければならない。
【００１３】
上記事情に鑑み、本発明は、メイントラックとエクストラトラックとを有する光ディスクを再生する、ユーザにとって使い勝手のよい光ディスク再生装置及び再生方法を提供することを目的とする。
【課題を解決するための手段】
【００１４】
上記課題を解決するために、本発明の第一の態様における光ディスク再生装置は、光ディスクの第１の記録エリアに記録された、メイントラックを有する第１のオーディオデータ、および、前記光ディスクの第２の記録エリアに記録された、前記メイントラックと同一内容のメイントラックに加えエクストラトラックを有する第２のオーディオデータのいずれかを再生する再生部と、前記第１のオーディオデータ及び前記第２のオーディオデータのトラック数に基づいて、前記第２のオーディオデータの前記メイントラックと前記エクストラトラックとをそれぞれ識別する識別部と、を備える。
【００１５】
また、本発明の第二の態様における光ディスク再生方法は、予め定められた数のメイントラックを含み、光ディスクの第１の記録エリアに記録された第１のオーディオデータと、前記メイントラックと同一内容のメイントラックの他にエクストラトラックを含み、前記光ディスクの第２の記録エリアに記録された第２のオーディオデータと、を再生する光ディスク再生方法において、前記第１のオーディオデータ及び前記第２のオーディオデータのトラック数に基づいて、前記第２のオーディオデータの前記メイントラックと前記エクストラトラックとをそれぞれ識別する識別ステップを備える。
【発明の効果】
【００１６】
本発明によれば、メイントラックとエクストラトラックとを有する光ディスクを再生する、ユーザにとって使い勝手のよい光ディスク再生装置及び再生方法を提供することができる。
【００１７】
また、本発明によれば、メイントラックとエクストラトラックとを有する光ディスクについて、各トラックを識別可能な光ディスク再生装置及び再生方法を提供することができる。
【００１８】
さらに、本発明によれば、メイントラックとエクストラトラックとを有する光ディスクについて、エクストラトラックの存在をユーザが再生前に確認可能な光ディスク再生装置及び再生方法を提供することができる。
【００１９】
さらにまた、本発明によれば、メイントラックとエクストラトラックとを有する光ディスクについて、エクストラトラックを選択的に再生可能な光ディスク再生装置及び再生方法を提供することができる。
【発明を実施するための最良の形態】
【００２０】
以下、本発明の実施の形態について、図面を参照して説明する。本発明の実施の形態に係る光ディスク再生装置は、メイントラックが記録されたエリアと、メイントラックの他にエクストラトラックが記録されたエリアと、を有するいわゆる高密度光ディスクに記録されたデジタルオーディオデータを再生する。
【００２１】
（第１の実施の形態）
図１に、本発明の第１の実施の形態に係る光ディスク再生装置の構成を示す。図１に示すように、第１の実施の形態の光ディスク再生装置１００は、ターンテーブル１と、スピンドルモータ２と、サーボ制御部３と、光ピックアップ４と、再生アンプ５と、信号処理部６と、メモリ制御部７と、RAM（Random Access Memory）８と、DAC（Digital to Analog Converter）９と、出力端子１０と、制御部１１と、操作部１２と、表示部１３と、を有する。
【００２２】
スピンドルモータ２に固定されたターンテーブル１は、光ディスクを固定する。この光ディスクは、２８２２．４kHzでサンプリングされデルタシグマ変調された１ビットのデジタルオーディオデータが記録された記録層（以下HD（High Definition）レイヤーという。）を有する。以下では、このＨＤレイヤーに加えて、４４．１kHzでサンプリングされた１６ビットのデジタルオーディオデータが記録された記録層（以下CDレイヤーという。）を有する、ハイブリッドディスクを例として説明するが、これに限られない。光ディスクは、１層のHDレイヤーのみを有するシングルレイヤーディスク、及び２層のHDレイヤーを有するデュアルレイヤーディスクであってもよい。ハイブリッドディスクのCDレイヤー及びHDレイヤーは、以下で詳述するように、それぞれ２チャンネルステレオエリアとマルチチャンネルエリアとを有する。
【００２３】
サーボ制御部３は、後述する操作部１２に備えられた操作ボタンを介してユーザから再生開始の指示を受け付けると、スピンドルモータ２を所定の線速度で回転駆動させる。また、サーボ制御部３は、再生部である光ピックアップ４からのレーザ光が光ディスクのピット列を正しくトレースするように、図示しないフォーカスサーボ回路とトラッキングサーボ回路とを制御する。
【００２４】
光ピックアップ４は、図示しないレーザダイオードと対物レンズとを備えている。CD又はCDレイヤーに記録されたデジタルオーディオデータを読み取る場合は、波長７８０nmのレーザ光を使用し、HDレイヤーに記録されたデジタルオーディオデータを読み取る場合は、波長６５０nmのレーザ光を使用する。また、光ピックアップ４は、CDレイヤー及びHDレイヤーのどちらの記録層にも焦点が合うように対物レンズの開口率を調節可能である。
【００２５】
光ピックアップ４が読み取ったデジタルオーディオデータは、再生アンプ５により波形整形及び増幅され信号処理部６に入力される。信号処理部６は、CD又はCDレイヤーから読み取ったデジタルオーディオデータの復調、HDレイヤーから読み取ったデジタルオーディオデータの復調、フォーカスエラー信号やトラッキングエラー信号等のエラー信号、同期信号の抜き出し等の処理を行う。信号処理部６において処理されたデジタルオーディオデータは、メモリ制御部７に入力される。
【００２６】
メモリ制御部７は、信号処理部６から入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。DAC９は、デジタルオーディオデータをアナログオーディオ信号に変換する。DAC９により変換されたアナログオーディオ信号は、出力端子１１から出力される。
【００２７】
制御部１１は、光ディスク再生装置１００全体を統括的に制御する。制御部１１は、光ディスクのHDレイヤーの２チャンネルステレオエリア及びマルチチャンネルエリアのエリアTOC(Table of Contents)に記録された管理情報等を記憶する記憶部１１ａを備える。管理情報には、各エリアに記録されたデジタルオーディオデータのトラック数が含まれる。また、制御部１１は、各エリアのトラック数に基づき、エリア内のメイントラックとエクストラトラックとを識別する識別部１１ｂを備える。
【００２８】
操作部１２は、光ディスク再生装置１００の操作に必要な指示を受け付ける。本実施形態では、再生ボタンと、再生停止ボタンと、カーソルボタンと、決定ボタンと、レイヤー切換ボタンと、エリア切換ボタンと、複数の指定ボタンと、選択ボタンと（いずれも不図示）を備える。これらは、以下に説明する機能を実現できるものであれば、例えば、タッチパネル等でもよく、ボタンに限られない。
【００２９】
再生ボタン及び再生停止ボタンは、再生／再生停止の指示を受け付ける。カーソルボタンは、項目を選択する指示を受け付ける。決定ボタンは、カーソルボタンにより選択された項目を決定する指示を受け付ける。
【００３０】
レイヤー切換ボタンは、光ディスクに設けられたHDレイヤーとCDレイヤーの再生の切り換えの指示を受け付ける。ハイブリッドディスクを再生不能な再生装置には、レイヤー切り換えボタンは不要である。エリア切換ボタンは、HDレイヤーの２チャンネルステレオエリアとマルチチャンネルエリアの再生を切り換えの指示を受け付ける。
【００３１】
複数の指定ボタンは、トラックナンバーに対応して設けられ、再生するトラックの指定を受け付ける。選択ボタンは、エクストラトラックを再生するか否かの指示を受け付ける。
【００３２】
表示部１３は、光ディスク再生装置１００の操作時、光ディスク再生時にユーザに必要な情報を表示する。例えば、現在再生しているトラックの再生時間、トラックナンバー、操作部１２の指定ボタンにより指定されたトラックがエクストラトラックであるか否かを示す情報等を表示する。
【００３３】
ここで、光ディスクのHDレイヤーの構造を説明する。HDレイヤーは、光ディスクの内周から外周の順にリードイン（lead-in）ゾーンと、データゾーンと、リードアウト（lead-out）ゾーンと、を備える。データゾーンは、マスターTOC（Table Of Contents）エリアと、オーディオエリアと、を備える。
【００３４】
マスターTOCエリアには、ディスクに関する情報、エリアに関する情報、トラックに関する情報などが記録されている。本施形態では、例えば、２チャンネルステレオエリアとマルチチャンネルエリアの有無を示す情報等が管理される
オーディオエリアは、２チャンネルのデジタルオーディオデータを記録する２チャンネルステレオエリアと、６チャンネルまでのマルチチャンネルのデジタルオーディオデータを記録するマルチチャンネルエリアと、を有する。
【００３５】
２チャンネルステレオエリアとマルチチャンネルエリアとは、デジタルオーディオデータがトラックナンバー順に記録されるトラックエリアをそれぞれ備える。１つのトラックエリアの前後には、２つのエリアTOCが設けられている。２チャンネルステレオエリアに設けられたエリアTOCには、トラックエリアに記録される２チャンネルのデジタルオーディオデータのトラックを管理する情報などが記録されている。また、マルチチャンネルエリアに設けられたエリアTOCには、トラックエリアに記録されるマルチチャンネルのデジタルオーディオデータのトラックを管理する情報などが記録されている。本実施形態では、各エリアに記録されるデジタルオーディオデータのトラック数等が記録される。
【００３６】
２チャンネルステレオエリアとマルチチャンネルエリアとには、対応する出力チャンネル数は異なるが同一内容を表すデジタルオーディオデータが収録されたトラック（以下メイントラックという。）が設けられている。また、本実施の形態では、マルチチャンネルエリアには、メイントラックに加え、正弦波やホワイトノイズ等のサラウンドテスト信号が収録されたトラック（以下エクストラトラックという。）がメイントラックの後に記録されている。従って、本実施の形態において、マルチチャンネルトラックは２チャンネルトラックよりもトラック数が多い。
【００３７】
例えば、２チャンネルステレオエリアには１０個のメイントラック（トラック数：１０）が記録され、マルチチャンネルエリアにはさらに５個のエクストラトラック（トラック数：１５）が記録されている。ただし、トラック数はこれに限られない。また、エクストラトラックが記録されているエリアが逆であってもよい。すなわち、２チャンネルステレオエリアに１５個のトラック（エクストラトラック：５個）が記録され、マルチチャンネルエリアに１０個のメイントラックが記録されていてもよい。
【００３８】
次に、ＣＤレイヤーについて説明する。ハイブリッドディスクのCDレイヤーは、CDの記録層の構造と同様の構造を有する。すなわち、ＣＤレイヤーは、光ディスクの内周から外周の順にリードインエリアと、プログラムエリアと、リードアウトエリアと、が形成されている。プログラムエリアには、記録形式は異なるが、ＨＤレイヤーの２チャンネルエリアまたはマルチチャンネルエリアに記録されたデータと同じ内容のデジタルオーディデータが記録されている。リードインエリアには、プログラムエリアに記録されたトラックを管理するTOC情報等が記録されている。
【００３９】
以下、本実施形態に係る光ディスク再生装置１００の光ディスク再生時の動作について、図面を参照して説明する。図２及び図３は、本実施の形態に係る光ディスク再生装置１００の再生動作を説明するフローチャートである。なお、同様の結果が得られる限り、以下に示すフローに限られない。
【００４０】
まず、ユーザは光ディスク再生装置１００に光ディスクを装着する。制御部１１は、ユーザにより光ディスクが装着されたこと、すなわち、ターンテーブル１に固定されたことを検知する（ステップＳ１）。
【００４１】
光ディスク再生装置１００は、デフォルトで、エクストラトラックを再生するか否か何れかの状態に設定され、ユーザの指示がない限り、その状態に維持される。なお、このとき、ユーザが、操作部１２の選択ボタンによりエクストラトラックを再生するか否かの指示を行ってもよい。この場合、光ディスク再生装置１００の制御部１１は、選択ボタンを介して、メイントラックのみを再生するか、あるいは、エクストラトラックを含む全てのトラックを再生するかの、指示をユーザから受け付ける。
【００４２】
光ディスクが装着されたことを検知すると、制御部１１は、光ピックアップ４を介してHDレイヤーのマスターTOCエリアに記録された管理情報を読み取る（ステップＳ２）。そして、読み取った情報を、記憶部１１ａに記録する。
【００４３】
次いで、制御部１１は、２チャンネルステレオエリアとマルチチャンネルエリアの有無を判別する（ステップＳ３）。すなわち、制御部１１は、読み取ったマスターTOCエリアに記録された情報から２チャンネルステレオエリア及びマルチチャンネルエリアの有無を判別する。このとき、制御部１１は、片方のエリアしか無いと判別した場合、以下の処理を行わず、通常の再生処理を行う。
【００４４】
例えば、本実施形態で例に用いるハイブリッドディスクの場合、２チャンネルステレオエリア及びマルチチャンネルエリアとを有し、その旨マスターＴＯＣエリアに記録されているため、両エリア有りと判断される。
【００４５】
両エリアの存在が確認された場合、制御部１１は、光ピックアップ４を介してエリアＴＯＣに記録された管理情報を読み取る（ステップＳ４）。ここでは、制御部１１は、ＨＤレイヤーの２チャンネルステレオエリア及びマルチチャンネルエリアそれぞれのエリアＴＯＣに記録された情報を読みとる。そして、読み取った情報を、記憶部１１ａに記録する。
【００４６】
また、制御部１１は、読み取った情報を記憶部１１ａに記録するとともに、読み取った情報の中から、それぞれのエリアに記録されたデジタルオーディオデータのトラック数を取得する（ステップＳ５）。
【００４７】
例えば、本実施形態のハイブリッドディスクの場合、２チャンネルステレオエリアのトラック数として１０が、マルチチャンネルエリアのトラック数として１５が、それぞれ取得される。
【００４８】
制御部１１は、同様に、ＣＤレイヤーのTOC情報を読み取る（ステップＳ６）。すなわち、制御部１１は、光ピックアップ４を介してCDレイヤーのリードインエリアに記録されたTOC情報を読み取る。そして、読み取った情報を、記憶部１１ａに記憶する。
【００４９】
制御部１１は、ステップＳ７で読み取った情報を記憶部１１ａに記録するとともに、読み取った情報の中から、CDレイヤーのプログラムエリアに記録されたデジタルオーディオデータのトラック数を取得する（ステップＳ７）。
【００５０】
例えば、本実施形態のハイブリッドディスクの場合、ＣＤレイヤーのトラック数として１０が取得される。
【００５１】
なお、光ディスク再生装置１００に装着された光ディスクが、ハイブリッドディスクでない場合、すなわち、ＨＤレイヤーのみを有する、シングルレイヤーディスクまたはデュアルレイヤーディスクである場合、ステップＳ６およびＳ７の処理は行わない。装着された光ディスクの種別（ハイブリッドディスク、シングルレイヤーディスク、または、デュアルレイヤーディスク）の判断は、上記ステップＳ１において光ディスク再生装置１００に光ディスクが装着された際、光ディスク再生装置１００自身が行ってもよいし、また、ユーザから指定を受けてもよい。
【００５２】
また、ＨＤレイヤーの情報を読み取り記録するステップＳ２〜Ｓ５の処理と、ＣＤレイヤーの情報を読み取り記録するステップＳ６〜Ｓ７の処理とは、何れを先に行ってもよい。
【００５３】
次いで、制御部１１の識別部１１ｂは、取得したHDレイヤーの各エリアのトラック数からメイントラック及びエクストラトラックを識別するとともに、エクストラトラックを有するエリアを識別する（ステップＳ８）。さらに、取得したＣＤレイヤーのトラック数から、ＣＤレイヤーにエクストラトラックがあるか否かも識別する。
【００５４】
すなわち、識別部１１ｂは、ステップＳ５において取得した２チャンネルステレオエリアのトラック数（メイントラックのトラック数）及びマルチチャンネルエリアのトラック数（メイントラック及びエクストラトラックのトラック数）に基づいて、エクストラトラックを有するエリア、および、メイントラックとエクストラトラックとを識別する。そして、ステップＳ７で取得したＣＤレイヤーのトラック数に基づいて、ＣＤレイヤーにエクストラトラックが存在するか否かを識別する。
【００５５】
具体的には、取得したＨＤレイヤーの両エリアのトラック数を比較し、トラック数の大きい方のエリアを、エクストラトラックを有するエリアと識別する。また、取得した両エリアのトラック数のうち、小さい方の数を、メイントラックの最大トラックナンバー（Ｎｏ．）と識別する。そして、その最大トラックナンバー以下の自然数をトラックナンバーとして持つトラックを、メイントラックとして識別する。
【００５６】
メイントラックの識別後、識別部１１ｂは、識別したメイントラックの最大トラックナンバーに１を加えた数から、大きい方の数までのトラックナンバーを有するトラックを、エクストラトラックとして識別する。
【００５７】
さらに、ＣＤレイヤーのトラック数を、上記ＨＤレイヤーのトラック数と比較し、小さい方の数と同じであれば、エクストラトラックが無いものと識別し、大きい方の数と同じであれば、エクストラトラックがあるものと識別する。
【００５８】
例えば、本実施形態のハイブリッドディスクでは、取得したトラック数は、２チャンネルステレオエリアが１０、マルチチャンネルエリアが１５である。小さい方の数は、２チャンネルステレオエリアのトラック数の１０である。従って、トラックナンバー１〜１０のトラックが、メイントラックと識別される。そして、トラックナンバー１１〜１５がエクストラトラックとして識別される。また、マルチチャンネルエリアが、エクストラトラックを有するエリアと識別される。
【００５９】
また、ＣＤレイヤーのトラック数は１０であるため、ＣＤレイヤーは、エクストラトラックを有しないものと識別される。
【００６０】
制御部１１は、ステップＳ９において識別したメイントラック及びエクストラトラックそれぞれのトラックナンバーおよびエクストラトラックを有するエリア、レイヤーを記憶部１１ａに記憶する（ステップＳ９）。
【００６１】
なお、予めエクストラトラックがある側のエリアが定まっている場合、当該エリアでない側のエリアのトラック数を、メイントラックの最大トラックナンバーとするよう構成してもよい。この場合、メイントラックおよびエクストラトラックのそれぞれのトラックナンバーを記憶部１１に記録する。例えば、本実施形態では、マルチチャンネルエリア側にエクストラトラックがあるものと予め定められている場合、取得した２チャンネルステレオエリアのトラック数１０をメイントラックの最大トラックナンバーと判断し、メイントラックおよびエクストラトラックそれぞれのトラックナンバーを識別し、記録する。
【００６２】
光ディスクからの管理情報の読み取り、および、記憶部１１ａへの記録、が完了すると、光ディスク再生装置１００は、ユーザからの再生レイヤー等の指示を受け付け可能な状態となる。
【００６３】
このとき、ユーザは、操作部１２のレイヤー切換ボタン及びエリア切換ボタンにより、所望のレイヤー及びエリアを再生の指示を行うことができる。ユーザは、再生するレイヤー（HDレイヤー又はCDレイヤー）をレイヤー切換ボタンにより指示することができ、また、HDレイヤーを指示した場合、ユーザは、さらに、再生するエリア（２チャンネルステレオエリア又はマルチチャンネルエリア）をエリア切換ボタンにより指示することができる。
【００６４】
ユーザからレイヤー切換ボタンおよび／またはエリア切換ボタンにより、再生するレイヤーおよび／またはエリアの指示を受け付けると、制御部１１は、指示に従って再生するレイヤーおよびエリアを切り換える（図３、ステップＳ１１）。なお、装着された光ディスクがハイブリッドディスクでない場合、すなわち、シングルレイヤーディスクまたはデュアルレイヤーディスクの場合、制御部１１が受け付けるのは、エリアの切り換えのみとなる。
【００６５】
制御部１１は、再生するレイヤーが、エクストラトラックを含むか否かを判別する（ステップＳ１２）。ここでは、制御部１１は、上記ステップＳ８で識別され、Ｓ９で記憶部１１ａに記憶された情報を参照して判別する。
【００６６】
制御部１１は、再生するレイヤーがエクストラトラックを含む場合（ステップＳ１２；Ｙｅｓ）、次に、ユーザから指示を受けて再生するエリアが、エクストラトラックを含むか否かを判別する（ステップＳ１４）。本実施形態では、制御部１１は、記憶部１１ａを参照し、指定されたエリアがエクストラトラックを含むものとして記録されていれるエリアに合致すれば、エクストラトラックを含むものと判断する。
【００６７】
なお、ステップＳ１１で指定されたレイヤーがＣＤレイヤーであり、かつ、エクストラトラックを含むものである場合、ステップＳ１４の処理は行わない。
【００６８】
再生するエリアが、エクストラトラックを含む場合、制御部１１は、表示部１３に、所定時間、再生を指示されたエリアにエクストラトラックが存在することを示す表示を行う（ステップＳ１５）。さらに、再生指示、または、レイヤーおよび/またはエリアの切換指示の入力を促す表示を行う。そして、光ディスク再生装置１００は、ユーザからの指示待ち状態となる。
【００６９】
ユーザは、本表示を見て、指定したエリアがエクストラトラックを含むものであることを認識することができる。そして、エクストラトラックを含むエリアの再生を希望する場合、再生ボタンを介して再生の指示を行う。一方、ユーザは、エクストラトラックを含むエリアの再生を希望しない場合、再生ボタンの代わりに、レイヤー切換ボタン及び/又はエリア切換ボタンにより、再生レイヤー及び/又はエリアの指定を切り換える指示を行う。
【００７０】
ユーザからの再生の指示を受け付けると（ステップＳ１６；Ｙｅｓ）、制御部１１は、ステップＳ１１で指定されたレイヤーまたはエリアの再生を行う（ステップＳ１７）。
【００７１】
ユーザから切り換えの指示を受け付けると（ステップＳ１６；Ｎｏ）、制御部１１は、エクストラトラックを含まないエリアまたはレイヤーの再生に切り換える（ステップＳ１８）。これは、現在選択されている再生エリアが、エクストラトラックを含むエリアであり、ユーザは、エクストラトラックを含むエリアの再生を望んでいないためである。そして、切り換え後のエリアまたはレイヤーの再生を行う（ステップＳ１７）
なお、ステップＳ１６で切り換えの指示を受け付けた制御部１１は、自動的にエクストラトラックを含まないエリアまたはレイヤーを再生するよう切り換えるのではなく、ステップＳ１１に戻り、再度ユーザから再生レイヤーおよび/またはエリアの指定を受け、その後の処理を繰り返すようにしてもよい。
【００７２】
また、光ディスク装着時に、ユーザより、予めエクストラトラックの再生を行うか否かの指示を受けている場合、次のように処理を行うことも可能である。
【００７３】
ステップＳ１５において、上記表示を行うとともに、制御部１１は、光ディスク装着時に受けた指示を判別する。現在指定されているエリアにエクストラトラックが含まれているため、メイントラックのみを再生するよう指示を受けている場合、所定時間内にユーザからの再生指示または切換指示の入力がない場合は、再生は行わない。一方、エクストラトラックを含む全てのトラックを再生するよう指示を受けている場合は、所定時間内にユーザからの指示の入力がない場合は、再生を行う。
【００７４】
また、ステップＳ１２において、指定されたレイヤーがエクストラトラックを含まないものと判断した場合、および、ステップＳ１４において、指定されたエリアがエクストラトラックを含まないものと判断した場合、制御部１１は、表示部１３に、所定時間、指定されたレイヤーおよび/またはエリアには、エクストラトラックが含まれず、他のエリアにエクストラトラックが含まれることを示す表示を行う（ステップＳ１３）。そして、再生指示、または、レイヤーおよび/またはエリアの切換指示の入力を促す表示を行う。そして、光ディスク再生装置１００は、ユーザからの指示待ち状態となる。
【００７５】
ユーザは、本表示を見て、指定したレイヤーおよび/またはエリアがエクストラトラックを含まないものであることを認識することができる。そして、エクストラトラックを含まないレイヤーおよび/またはエリアの再生を希望する場合、再生ボタンを介して再生の指示を行う。
【００７６】
なお、ステップＳ１２またはＳ１４において、ユーザが指定したレイヤーまたはエリアが、エクストラトラックを含まないものである場合であって、光ディスク装着時に、ユーザが、エクストラトラックの存在を認識している場合は、ステップＳ１３における表示は、指定されたレイヤーおよび/またはエリアに、エクストラトラックが含まれないことを示すものでもよい。本実施形態において、ユーザがエクストラトラックを含むトラックの存在を認識している場合とは、ユーザが光ディスク装着時に、選択ボタンを介して再生対象を指示した場合などである。
【００７７】
ユーザからの再生の指示を受け付けると（ステップＳ１６）、制御部１１は、ステップＳ１１で指定されたレイヤーおよび/またはエリアの再生を行う。
【００７８】
一方、ユーザは、エクストラトラックを含むエリアの再生を希望する場合、レイヤー切換ボタン及び/又はエリア切換ボタンにより、再生レイヤー及び/又はエリアの指定を切り換えることができる。このとき、現在選択されている再生エリアまたはレイヤーが、エクストラトラックを含まないレイヤーまたはエリアであるため、制御部１１は、切り換えの指示を受け付けると、エクストラトラックを含むレイヤーまたはエリアを再生するよう再生エリアを切り換える（ステップＳ１８）。そして、切り換え後のエリアの再生を行う（ステップＳ１７）。  
【００７９】
なお、ステップＳ１６で切り換えの指示を受け付けた制御部１１は、上記のように、エクストラトラックを含むレイヤーまたはエリアを再生するよう切り換えるのではなく、ステップＳ１１に戻り、ユーザから、再度レイヤーまたはエリアを指定する指示を受け、その後の処理を繰り返すようにしてもよい。
【００８０】
また、光ディスク装着時に、ユーザより、予めエクストラトラックの再生を行うか否かの指示を受けている場合、以下のように処理を行うことも可能である。
【００８１】
ステップＳ１３において、上記表示を行うとともに、制御部１１は、光ディスク装着時に受けた指示を判別する。メイントラックのみを再生するよう指示を受けている場合、現在指定されているエリアにエクストラトラックが含まれていないため、所定時間内にユーザからの再生指示または切換指示の入力がない場合は、再生を行う。一方、エクストラトラックを含む全てのトラックを再生するよう指示を受けている場合は、所定時間内にユーザからの指示の入力がない場合は、再生を行わない。
【００８２】
なお、以上の処理において、本実施形態では、エクストラトラックを有するエリアが決定できればよいため、ステップＳ８における処理の中で、メイントラックおよびエクストラトラックを確定する処理は任意である。各レイヤーおよびエリアに、エクストラトラックの存否を識別できればよい。
【００８３】
以上説明したように、第１の実施の形態に係る光ディスク再生装置１００は、ユーザが再生を指定したレイヤーまたはエリアが、エクストラトラックを含むものであるか否かを、再生指示の前に、ユーザに通知することができる。さらに、ユーザが再生を指定したレイヤーまたはエリアではなく、指定されていないレイヤーおよび/又はエリアにエクストラトラックが含まれる場合であっても、エクストラトラックを含むエリアが存在することを、ユーザに通知することができる。
【００８４】
従って、ユーザは、エクストラトラックの存在を知らない場合、または、忘れていた場合であっても、ジャケット等を参照することなく、光ディスクを装着するだけで、エクストラトラックの存在を認識することができる。
【００８５】
また、再生するレイヤーまたはエリアの指定を、エクストラトラックの存在を認識した後に再度行うことができるため、ユーザは、容易に、メイントラックのみを再生するか、エクストラトラックを含む全てのトラックを再生するかを決定し、再生の指示を行うことができる。
【００８６】
上記実施の形態では、ユーザから、再生するレイヤー又はエリアの指定を受けてから、エクストラトラックの存在をユーザに知らせる。しかし、ユーザから上記の指定を受ける前にユーザにこれを知らせるようにしてもよい。
【００８７】
ユーザから指定を受ける前にエクストラトラックの存在をユーザに知らせる場合の処理フローであって、図２および図３に示すフローと異なる部分を、図４に示す。図２のステップＳ９までの処理は同じである。
【００８８】
この場合、制御部１１が、マスターＴＯＣおよび/またはエリアＴＯＣの管理情報を読み込み、メイントラック、エクストラトラック、エクストラトラックを含むエリア、および、エクストラトラックを含むレイヤーを識別し、記憶部１１ａに記憶した後（図２のステップＳ９）、図４に示すように、制御部１１は、エクストラトラックの存在するレイヤー及び／又はエリアを表示部１３に表示する（ステップＳ２１）。ユーザは本表示を見て、レイヤー切換ボタンおよび/またはエリア切換ボタンにより、所望のレイヤー及び／又はエリアを指定する（ステップＳ２２）。制御部１１は、ユーザからの再生指示を受け、ステップＳ２２で指定されたレイヤー又はエリアの再生を開始する（ステップＳ２３、ステップＳ２４）。この構成によれば、ユーザはより確実にエクストラトラックの存在を認識し、所望のレイヤーまたはエリアを再生することができる。
【００８９】
（第２の実施の形態）
以下、本発明の第２の実施の形態について図面を参照して説明する。図５および図６に、本実施形態の処理を説明するためのフローを示す。なお、理解を容易なものとするため、図１〜図３と同様の構成には、同一の符号を付し、説明を省略する。
【００９０】
本実施形態では、光ディスク再生装置１００は、指定されたトラックがエクストラトラックであるか否かに応じて、ユーザに再生するか否かの判断を要求する。以下、本実施形態に係る光ディスク再生装置１００の動作について詳細に説明する。
【００９１】
第一の実施形態の図２のステップＳ１〜Ｓ９の処理により、装着された光ディスクから読み取られた管理情報に基づいて、メイントラックとエクストラトラックとが識別されるとともに、エクストラトラックを含むエリアが識別され、記憶部１１ａに記録される。そして、光ディスク再生装置１００は、ユーザからの再生レイヤーなどの指示を受け付け可能な状態となり、図５の処理フローに移行する。
【００９２】
ユーザは、操作部１２のレイヤー切換ボタン及びエリア切換ボタンにより、再生するべきレイヤー及びエリアを指示することができる。また、ユーザは、再生するレイヤー（HDレイヤー又はCDレイヤー）をレイヤー切換ボタンにより指示することができ、また、HDレイヤーを指示した場合、ユーザは、さらに、再生するエリア（２チャンネルステレオエリア又はマルチチャンネルエリア）をエリア切換ボタンにより指示することができる。
【００９３】
ユーザからレイヤー切換ボタンおよび／またはエリア切換ボタンにより、再生するレイヤーおよび／またはエリアの指示を受け付けると、制御部１１は、指示に従って再生するレイヤーおよびエリアを切り換える（図５、ステップＳ４１）。なお、装着された光ディスクがハイブリッドディスクでない場合、すなわち、シングルレイヤーディスクまたはデュアルレイヤーディスクの場合、制御部１１が受け付けるのは、エリアの切り換えのみとなる。
【００９４】
ユーザは、操作部１２の再生ボタンにより、トラックの再生を指示する。このとき、ユーザは、所定のトラックから再生を開始したい場合には、操作部１２の対応する指定ボタンにより、再生を開始したいトラックを指定する。光ディスク再生装置１００は、指定されたトラックまたはトラックナンバー１のトラックから連続して再生を行う。
【００９５】
制御部１１は、再生ボタンを介して再生の指示をユーザから受け付けると、所定時間、再生開始トラックの指示を待つ（ステップＳ４２）。
【００９６】
所定時間内に、指定ボタンを介して、トラックの指定を受け付けなかった場合は（ステップＳ４３；Ｎｏ）、ステップＳ４１で指定されたレイヤーまたはエリアの、トラックナンバー１のトラックを再生トラックとし（ステップＳ４４）、再生トラックのデジタルオーディオデータを再生する（ステップＳ５０）。
【００９７】
一方、所定時間内に、トラックの指定を受け付けた場合（ステップＳ４３；Ｙｅｓ）、制御部１１は、指定されたトラックが、ステップＳ１０において記憶部１１ａに記憶したエクストラトラックに該当するか否かを判別する（ステップＳ４５）。
【００９８】
指定されたトラックがエクストラトラックでない場合（ステップＳ４５；Ｎｏ）、すなわち、メイントラックである場合、指定されたトラックを再生トラックとし（ステップＳ４９）、再生トラックのデジタルオーディオデータを再生する（ステップＳ５０）。
【００９９】
指定されたトラックがエクストラトラックである場合（ステップＳ４３；Ｙｅｓ）、制御部１１は、指定されたトラックがエクストラトラックであることを表示部１３に表示する（ステップＳ４６）。表示は、予め定められた時間、例えば、数秒表示される。ユーザは、この表示を見て、指定したトラックがエクストラトラックであることを知ることができる。
【０１００】
次いで、制御部１１は、指定されたトラックを再生するか否かの指示の入力を促す表示を表示部１３に表示させる（ステップＳ４７）。ユーザはこの表示がなされた後、例えば、ジャケット等から判断して、当該トラックを再生すべきか決定し、再生を指示することができる。このとき、ユーザは、操作部１２のカーソルボタンにより、ステップＳ４３において指定したトラックを再生するか否かを指示する。例えば、ユーザは、カーソルボタンにより指定したトラックを再生するか否かを選択することができる。そして、選択をした後、操作部１２の決定ボタンを押し、指示を光ディスク再生装置１００に入力する。
【０１０１】
なお、再生するか否かの入力を促す表示は、エクストラトラックであることを示す表示とともに表示部１３に行うようにしてもよい。
【０１０２】
ユーザから、トラックの再生の指示を受け付けた場合（ステップＳ４８；Ｙｅｓ）、制御部１１は、指定されたトラックを再生トラックとし（ステップＳ４９）、再生トラックのデジタルオーディオデータを再生する（ステップＳ５０）。
【０１０３】
ユーザから指定したトラックの再生をしない旨の指示を受け付けた場合（ステップＳ４８；Ｎｏ）、制御部１１は、新たなトラックの指定を促す表示を表示部１３に表示する（ステップＳ５９）。ユーザは、所定時間内に、本表示に応じてトラックを指定することができる。そして、ステップＳ４３に戻り、指定の有無に応じてその後の処理を進める。
【０１０４】
ステップＳ５０における再生トラックの再生が終了すると、制御部１１は、当該トラックの再生中に、ユーザから当該トラックに連続するトラック以外のトラックを再生する指示を受け付けているか否かを判別する（図６ステップＳ５１）。
【０１０５】
ここで、連続するトラック以外のトラックの再生の指示を受け付けている場合（ステップＳ５１；Ｙｅｓ）、制御部１１は、図５ステップＳ４５に戻り、指定されたトラックがエクストラトラックであるか否かを判別し、その後の処理を進める。
【０１０６】
一方、再生の指示を受け付けていない場合（図６ステップＳ５１；Ｎｏ）、制御部１１は、図５ステップＳ４９における再生トラックの再生中に、ユーザから再生停止指示を受け付けているか否かを判別する（図６ステップＳ５２）。
【０１０７】
ここで、再生停止指示を受け付けている場合（ステップＳ５２；Ｙｅｓ）、制御部１１は、装着されている光ディスクの再生を終了する。
【０１０８】
一方、再生停止指示を受け付けていない場合（ステップＳ５２；Ｎｏ）、制御部１１は、連続するトラックの有無を判別する（ステップＳ５３）。
【０１０９】
連続するトラックが無い場合（ステップＳ５３；Ｎｏ）、装着された光ディスクの再生を終了する。
【０１１０】
連続するトラックが有る場合（ステップＳ５３；Ｙｅｓ），当該連続するトラックが最初のエクストラトラックであるか否かを判別する（ステップＳ５４）。
【０１１１】
具体的には、制御部１１は、記憶部１１ａに記録されているエクストラトラックのトラックナンバーと連続するトラックのトラックナンバーとを比較することにより、連続するトラックのトラックナンバーから、当該トラックが、エクストラトラックの最初のトラックであるか否か判別する。
【０１１２】
最初のエクストラトラックである場合（ステップＳ５４；Ｙｅｓ）、制御部１１は、再生を続行するか否かの指示の入力を促す表示を表示部１３に表示させる（ステップＳ５５）。
【０１１３】
なお、再生を続行するか否かの指示の入力を促す表示は、次に再生するトラックが、エクストラトラックであることを示す表示とともに表示部１３に行ってもよい。
【０１１４】
ユーザから再生の指示を受け付けた場合（ステップＳ５５；Ｙｅｓ）、制御部１１は、連続するトラックを再生トラックとし（ステップＳ５６）、再生トラックのデジタルオーディオデータを再生する（図５ステップＳ５０）。
【０１１５】
ユーザから再生を続行しない旨の指示を受け付けた場合（図６ステップＳ５５；Ｎｏ）、制御部１１は、装着されている光ディスクの再生を終了する。
【０１１６】
また、ステップＳ５４において、最初のエクストラトラックでないと判別された場合（ステップＳ５４；Ｎｏ）、そのまま、連続するトラックを再生トラックとし、再生トラックのデジタルオーディオデータを再生する（図５ステップＳ４９）。
【０１１７】
なお、上記処理では、再生するトラックが指定されなかった場合は、トラックナンバーが１のものから、指定された場合は、当該トラックから、連続的に再生する場合を例にあげて説明したが、これに限られない。例えば、予め再生するトラックの順序を指定して登録しておき、登録された順に再生する場合であっても、適用可能である。また、ランダムにトラックを再生する場合も適用可能である。
【０１１８】
また、上記の例では、図６ステップＳ５４において、次の再生順のトラックが最初のエクストラトラックであるか否かを判別しているが、最初であるか否かに係わらず、エクストラトラックであるか否かを判別してもよい。そして、エクストラトラックである場合には、再生を続行するか否かの指示の入力を促す表示を表示部１３に表示させ（ステップＳ５４；Ｙｅｓ）、その後の処理を進め、エクストラトラックでない場合は（ステップＳ５４；Ｎｏ）、ユーザからの指示を待たずに、次の再生順のトラックを再生トラックとして処理を進める。
【０１１９】
以上説明したように、本実施形態に係る光ディスク再生装置１００は、光ディスクに記録されたエクストラトラックのデジタルオーディオデータが再生対象として指定された場合、表示部１３にエクストラトラックであることを示す表示を行う。そして、光ディスク再生装置１００は、ユーザからの指示を受けた場合に、エクストラトラックのデジタルオーディオデータを再生する。
【０１２０】
このため、ユーザは、再生のために指定したトラックが、エクストラトラックであるか否かを、その再生前に知ることができるとともに、その情報に基づき、当該トラックを再生するか否か決定することができる。これは、トラックナンバーの順に連続再生、トラックをランダムに再生するランダム再生又はトラックナンバーを指定して再生する場合のいずれの場合においても同様である。
【０１２１】
エクストラトラックには、音楽の製作模様を収録したオーディオデータやカラオケ演奏等のオーディオデータのトラックが記録されている場合がある。しかし、一方、正弦波やホワイトノイズ等のサラウンドテスト信号がエクストラトラックに記録されている場合もある。本実施形態によれば、テスト信号等が記録されている可能性のあるエクストラトラックを、意図せず、メイントラックに記録されたオーディオ信号と同列に再生することを避ける事が可能である。勿論、ユーザがエクストラトラックの再生を所望する場合は、ユーザの指示に従って再生することができる。
【０１２２】
以上、本実施形態によれば、エクストラトラックのテスト信号がいきなり再生され、メイントラックの再生音と異なる異常音が出力されることを防ぐことができる。
【０１２３】
これにより、このような異常音の突然の再生により、ユーザに光ディスク再生装置１００が故障したと誤認されることや、ユーザの興趣が削がれることを防ぐことができる。
【０１２４】
また、本実施形態によれば、再生する光ディスクに添付されたジャケット等からエクストラトラックが記録されているレイヤー又はエリアを確認しなくても、メイントラックのオーディオデータを選択的に再生することができる。
【０１２５】
このように、本実施形態によれば、メイントラック及びエクストラトラックを有する光ディスクを再生可能な光ディスク再生装置の使い勝手が向上する。
【図面の簡単な説明】
【０１２６】
【図１】図１は、本発明の実施の形態に係る光ディスク再生装置の構成を示す図である。
【図２】図２は、本発明の第１の実施の形態に係る光ディスク再生装置の再生動作を説明するフローである。
【図３】図３は、本発明の第１の実施の形態に係る光ディスク再生装置の動作を説明するフローである。
【図４】図４は、本発明の第１の実施の形態の変形例に係る光ディスク再生装置の動作を説明するフローである。
【図５】図５は、本発明の第２の実施の形態に係る光ディスク再生装置の再生動作を説明するフローである。
【図６】図６は、本発明の第２の実施の形態に係る光ディスク再生装置の再生動作を説明するフローである。
【符号の説明】
【０１２７】
１：ターンテーブル、２：スピンドルモータ、３：サーボ制御部、４：光ピックアップ、５：再生アンプ、６：信号処理部、７：メモリ制御部、８：ＲＡＭ、９：ＤＡＣ、１０：出力端子、１１：制御部、１１ａ：記憶部、１１ｂ：識別部、１２：操作部、１３：表示部、１００：光ディスク再生装置
【図１】
2005317169.tif 000003
【図２】
2005317169.tif 000004
【図３】
2005317169.tif 000005
【図４】
2005317169.tif 000006
【図５】
2005317169.tif 000007
【図６】
2005317169.tif 000008